(57)【要約】【課題】ＬＥＤ駆動装置の数を減らすことによりシステム全体の費用を下げる。【解決手段】信号機の一つの形態は、電圧源（ＶＳ）に接続された一つ又はそれ以上のＬＥＤ回路を用いる。夫々のＬＥＤ回路は、ＬＥＤ配列（３０）と、電流制限器（３１）と、電子スイッチ（３２）との直列接続を有する。夫々の電流制限器（３１）は、スイッチ制御器（２１）が関連する電子スイッチ（３２）を閉じるときはいつも、関連するＬＥＤ配列（３０）を流れるＬＥＤ電流（ＩＲＬ）の流れを制御する。信号機の他の形態は、電流源（ＩＳ）に接続された一つ又はそれ以上のＬＥＤ回路を用いる。夫々のＬＥＤ回路は、ＬＥＤ配列（８０）と電子スイッチ（８１）との並列接続を有する。ＬＥＤ電流（ＩＲＬ）は、スイッチ制御器（７１）が関連する電子スイッチ（８１）を開くときはいつも、ＬＥＤ配列（８０）を流れる。
2007527047.tif 000002
【特許請求の範囲】
【請求項１】
電圧源と、
該電圧源への第一のＬＥＤ配列、第一の電流制限器及び第一の電子スイッチの直列接続を有する第一のＬＥＤ回路と、
前記第一の電子スイッチを選択的に開閉するよう動作させるスイッチ制御器とを有し、
前記第一の電流制限器は、前記スイッチ制御器が前記第一の電子スイッチを閉じるときはいつも、前記電圧源から前記第一のＬＥＤ配列を流れる第一のＬＥＤ電流の流れを制御し、
前記電圧源から前記第一のＬＥＤ配列を流れる前記第一のＬＥＤ電流の流れは、前記スイッチ制御器が前記第一の電子スイッチを開くときはいつも、妨げられることを特徴とする信号機。
【請求項２】
前記第一のＬＥＤ回路に並列に接続され、前記電圧源への第二のＬＥＤ配列、第二の電流制限器及び第二の電子スイッチの直列接続を有する第二のＬＥＤ回路を更に有し、
前記スイッチ制御器は、更に、前記第二の電子スイッチを選択的に開閉するよう動作し、
前記第二の電流制御器は、前記スイッチ制御器が前記第二の電子スイッチを閉じるときはいつも、前記電圧源から前記第二のＬＥＤ配列を流れる第二のＬＥＤ電流の流れを制御し、
前記電圧源から前記第二のＬＥＤ配列を流れる前記第二のＬＥＤ電流の流れは、前記スイッチ制御器が前記第二の電子スイッチを開くときはいつも、妨げられることを特徴とする、請求項１記載の信号機。
【請求項３】
前記第一のＬＥＤ回路及び前記第二のＬＥＤ回路に並列に接続され、前記電圧源への第三のＬＥＤ配列、第三の電流制限器及び第三の電子スイッチの直列接続を有する第三のＬＥＤ回路を更に有し、
前記スイッチ制御器は、更に、前記第三の電子スイッチを選択的に開閉するよう動作し、
前記第三の電流制御器は、前記スイッチ制御器が前記第三の電子スイッチを閉じるときはいつも、前記電圧源から前記第三のＬＥＤ配列を流れる第三のＬＥＤ電流の流れを制御し、
前記電圧源から前記第三のＬＥＤ配列を流れる前記第三のＬＥＤ電流の流れは、前記スイッチ制御器が前記第三の電子スイッチを開くときはいつも、妨げられることを特徴とする、請求項２記載の信号機。
【請求項４】
前記第一のＬＥＤ回路、前記第二のＬＥＤ回路及び前記第三のＬＥＤ回路に並列に接続され、前記電圧源への第四のＬＥＤ配列、第四の電流制限器及び第四の電子スイッチの直列接続を有する第四のＬＥＤ回路を更に有し、
前記スイッチ制御器は、更に、前記第四の電子スイッチを選択的に開閉するよう動作し、
前記第四の電流制御器は、前記スイッチ制御器が前記第四の電子スイッチを閉じるときはいつも、前記電圧源から前記第四のＬＥＤ配列を流れる第四のＬＥＤ電流の流れを制御し、
前記電圧源から前記第四のＬＥＤ配列を流れる前記第四のＬＥＤ電流の流れは、前記スイッチ制御器が前記第四の電子スイッチを開くときはいつも、妨げられることを特徴とする、請求項３記載の信号機。
【請求項５】
前記第一のＬＥＤ回路、前記第二のＬＥＤ回路、前記第三のＬＥＤ回路及び前記第四のＬＥＤ回路に並列に接続され、前記電圧源への第五のＬＥＤ配列、第五の電流制限器及び第五の電子スイッチの直列接続を有する第五のＬＥＤ回路を更に有し、
前記スイッチ制御器は、更に、前記第五の電子スイッチを選択的に開閉するよう動作し、
前記第五の電流制御器は、前記スイッチ制御器が前記第五の電子スイッチを閉じるときはいつも、前記電圧源から前記第五のＬＥＤ配列を流れる第五のＬＥＤ電流の流れを制御し、
前記電圧源から前記第五のＬＥＤ配列を流れる前記第五のＬＥＤ電流の流れは、前記スイッチ制御器が前記第五の電子スイッチを開くときはいつも、妨げられることを特徴とする、請求項４記載の信号機。
【請求項６】
電流源と、
該電流源に直列に接続され、第一のＬＥＤ配列及び第一の電子スイッチの並列接続を有する第一のＬＥＤ回路と、
前記第一の電子スイッチを選択的に開閉するよう動作させるスイッチ制御器とを有し、
第一のＬＥＤ電流は、前記スイッチ制御器が前記第一の電子スイッチを開くときはいつも、前記電流源から前記第一のＬＥＤ配列を流れ、
前記電流源から前記第一のＬＥＤ配列を流れる前記第一のＬＥＤ電流の流れは、前記スイッチ制御器が前記第一の電子スイッチを閉じるときはいつも、妨げられることを特徴とする信号機。
【請求項７】
前記第一のＬＥＤ回路に直列に接続され、第二のＬＥＤ配列及び第二の電子スイッチの並列接続を有する第二のＬＥＤ回路を更に有し、
前記スイッチ制御器は、更に、前記第二の電子スイッチを選択的に開閉するよう動作し、
第二のＬＥＤ電流は、前記スイッチ制御器が前記第二の電子スイッチを開くときはいつも、前記電流源から前記第二のＬＥＤ配列を流れ、
前記電流源から前記第二のＬＥＤ配列を流れる前記第二のＬＥＤ電流の流れは、前記スイッチ制御器が前記第二の電子スイッチを閉じるときはいつも、妨げられることを特徴とする、請求項６記載の信号機。
【請求項８】
前記第二のＬＥＤ回路に直列に接続され、第三のＬＥＤ配列及び第三の電子スイッチの並列接続を有する第三のＬＥＤ回路を更に有し、
前記スイッチ制御器は、更に、前記第三の電子スイッチを選択的に開閉するよう動作し、
第三のＬＥＤ電流は、前記スイッチ制御器が前記第三の電子スイッチを開くときはいつも、前記電流源から前記第三のＬＥＤ配列を流れ、
前記電流源から前記第三のＬＥＤ配列を流れる前記第三のＬＥＤ電流の流れは、前記スイッチ制御器が前記第三の電子スイッチを閉じるときはいつも、妨げられることを特徴とする、請求項７記載の信号機。
【請求項９】
前記第三のＬＥＤ回路に直列に接続され、第四のＬＥＤ配列及び第四の電子スイッチの並列接続を有する第四のＬＥＤ回路を更に有し、
前記スイッチ制御器は、更に、前記第四の電子スイッチを選択的に開閉するよう動作し、
第四のＬＥＤ電流は、前記スイッチ制御器が前記第四の電子スイッチを開くときはいつも、前記電流源から前記第四のＬＥＤ配列を流れ、
前記電流源から前記第四のＬＥＤ配列を流れる前記第四のＬＥＤ電流の流れは、前記スイッチ制御器が前記第四の電子スイッチを閉じるときはいつも、妨げられることを特徴とする、請求項８記載の信号機。
【請求項１０】
前記第四のＬＥＤ回路に直列に接続され、第五のＬＥＤ配列及び第五の電子スイッチの並列接続を有する第四のＬＥＤ回路を更に有し、
前記スイッチ制御器は、更に、前記第五の電子スイッチを選択的に開閉するよう動作し、
第五のＬＥＤ電流は、前記スイッチ制御器が前記第五の電子スイッチを開くときはいつも、前記電流源から前記第五のＬＥＤ配列を流れ、
前記電流源から前記第五のＬＥＤ配列を流れる前記第五のＬＥＤ電流の流れは、前記スイッチ制御器が前記第五の電子スイッチを閉じるときはいつも、妨げられることを特徴とする、請求項９記載の信号機。
【発明の詳細な説明】
【技術分野】
【０００１】
本発明は、概して、発光ダイオード（ＬＥＤ）に関する。特に、本発明は、道路の交差点、鉄道線路の交差、可動橋に置かれた信号機及び信号機の他の良く知られた如何なる実施において多数のＬＥＤを動作させる単一の駆動装置に関する。
【背景技術】
【０００２】
例えばＬＥＤのような半導体光源は、ますます信号機で使用されている。このような用途での半導体光源は、白熱電球よりも長寿命で低電力消費であるという、白熱電球に対する利点を有する。一般に、交差点で往来を指図するために使用される信号機は、ＬＥＤ配列から放射された光力の色が夫々赤、黄及び緑である三つのＬＥＤ配列を有する。通常、一つのＬＥＤ配列は、１２から２５０個のＬＥＤから形成され、そのＬＥＤ配列の全光出力は約１ワットである。
【発明の開示】
【発明が解決しようとする課題】
【０００３】
夫々のＬＥＤ配列は、固有のＬＥＤ駆動装置により制御される。ＬＥＤ駆動装置の数を減らすことによりシステム全体の費用を下げることが望まれる。
【課題を解決するための手段】
【０００４】
本発明の一つの形態は、電圧源と、スイッチ制御器と、前記電圧源に並列結合されたＬＥＤ回路とを有する信号機である。前記ＬＥＤ回路は、ＬＥＤ配列と、電流制限器と、電子スイッチとの直列接続を有する。前記電圧源から前記ＬＥＤ配列を流れるＬＥＤ電流の流れは、前記スイッチ制御器が前記電子スイッチを開くときはいつも妨げられる。前記電流制御器は、前記スイッチ制御器が前記電子スイッチを閉じるときはいつも、前記ＬＥＤ配列を流れるＬＥＤ電流の流れを制御する。前記スイッチ制御器は、前記電子スイッチを選択的に開閉し、それによって前記ＬＥＤ配列からの信号灯を選択的に発する。
【０００５】
本発明の第二の形態は、電流源と、スイッチ制御器と、前記電流源に直列結合されたＬＥＤ回路とを有する信号機である。前記ＬＥＤ回路は、ＬＥＤ配列と電子スイッチとの並列接続を有する。前記電流源から前記ＬＥＤ配列を流れるＬＥＤ電流の流れは、前記スイッチ制御器が前記電子スイッチを閉じるときはいつも妨げられる。前記ＬＥＤ電流は、前記スイッチ制御器が前記電子スイッチを開くときはいつも、前記電流源から前記ＬＥＤ配列を流れる。前記スイッチ制御器は、前記電子スイッチを選択的に開閉し、それによって前記ＬＥＤ回路からの信号光を選択的に発する。
【発明を実施するための最良の形態】
【０００６】
上記の形態並びに本発明の他の形態、特性及び利点は、添付の図面に関連して読まれる現在のところ望ましい実施例の以下の詳細な記述から更に明らかとなる。詳細な記述及び図面は、本発明を説明するものに過ぎず、限定するものではない。本発明の適用範囲は、添付の特許請求の範囲及びそれと等価な部分により定められる。
【実施例１】
【０００７】
図１から３で表わされている信号機１０は、ＬＥＤ駆動装置２０と、スイッチ制御器（ＳＣ）２１と、ＬＥＤ駆動装置２０に並列接続された赤色ＬＥＤ回路と、ＬＥＤ駆動装置２０に並列接続された黄色ＬＥＤ回路と、ＬＥＤ駆動装置２０に並列接続された緑色ＬＥＤ回路とを用いる。ＬＥＤ駆動装置２０は、後述するＬＥＤ回路へＬＥＤ電流を供給するように電圧源ＶＳを用いる。実際には、電圧源ＶＳは、一般に、米国では１２０Ｖであり、一方で、欧州及びアジアのような他の市場では、電圧源ＶＳは２３０Ｖから２４０Ｖであっても良い。
【０００８】
赤色ＬＥＤ回路は、Ｒ−ＬＥＤ配列３０、従来の電流制限器（ＣＬ）３１及び従来の電子スイッチ３２の直列接続を用いる。従来の屈折レンズ３３は、如何なる光がＲ−ＬＥＤ配列３０から発せられても、赤の交通信号を伝えるようにＲ−ＬＥＤ配列３０に相対して置かれている。一つの実施例では、Ｒ−ＬＥＤ配列３０は白色光を発し、屈折レンズ３３の色が赤である。第二の実施例では、Ｒ−ＬＥＤ配列３０が赤色光を発し、屈折レンズ３３の色は赤である。
【０００９】
黄色ＬＥＤ回路は、Ｙ−ＬＥＤ配列４０、従来の電流制限器（ＣＬ）４１及び従来の電子スイッチ４２の直列接続を用いる。従来の屈折レンズ４３は、如何なる光がＹ−ＬＥＤ配列４０から発せられても、黄の交通信号を伝えるようにＹ−ＬＥＤ配列４０に相対して置かれている。一つの実施例では、Ｙ−ＬＥＤ配列４０は白色光を発し、屈折レンズ４３の色が黄色である。第二の実施例では、Ｙ−ＬＥＤ配列４０が黄色光を発し、屈折レンズ４３の色は黄色である。
【００１０】
緑色ＬＥＤ回路は、Ｇ−ＬＥＤ配列５０、従来の電流制限器（ＣＬ）５１及び従来の電子スイッチ５２の直列接続を用いる。従来の屈折レンズ５３は、如何なる光がＧ−ＬＥＤ配列５０から発せられても、緑の交通信号を伝えるようにＧ−ＬＥＤ配列５０に相対して置かれている。一つの実施例では、Ｇ−ＬＥＤ配列５０は白色光を発し、屈折レンズ５３の色が緑である。第二の実施例では、Ｇ−ＬＥＤ配列５０が緑色光を発し、屈折レンズ５３の色は緑である。
【００１１】
スイッチ制御器２１は、従来、光が任意の時間期間でＬＥＤ配列３０、４０又は５０の一つのみから発せられるように、スイッチ３２、４２及び５２を選択的に開閉させるように動作する。
【００１２】
図１で表わされている赤色光動作では、スイッチ３２が閉じられ、スイッチ４２及び５２は開かれている。結果として、赤色ＬＥＤ回路のみが、それを流れるＬＥＤ電流ＩＲＬを有し、それによってＲ−ＬＥＤ配列３０及び屈折レンズ３３を介して赤色伝達光を発する。
【００１３】
図２で表わされている黄色光動作では、スイッチ４２が閉じられ、スイッチ３２及び５２は開かれている。結果として、黄色ＬＥＤ回路のみが、それを流れるＬＥＤ電流ＩＹＬを有し、それによってＹ−ＬＥＤ配列４０及び屈折レンズ４３を介して黄色伝達光を発する。
【００１４】
図３で表わされている緑色光動作では、スイッチ５２が閉じられ、スイッチ３２及び４２は開かれている。結果として、緑色ＬＥＤ回路のみが、それを流れるＬＥＤ電流ＩＧＬを有し、それによってＧ−ＬＥＤ配列５０及び屈折レンズ５３を介して緑色伝達光を発する。
【００１５】
スイッチ制御器２１は、伝達制御部（図示せず。）と電気的に通信する。伝達制御部は、夫々のスイッチ３２、４２及び５２が単独で閉じられるべきであるときをスイッチ制御器２１に指示する。適切に動作するスイッチ制御器２１は、矛盾する通信を観察者に送ることを避けるために、交通信号１０のスイッチ３２、４２及び５２のうちの二つを決して同時に閉じない。
【実施例２】
【００１６】
図４から６は、ＬＥＤ駆動装置７０と、スイッチ制御器（ＳＣ）７１と、ＬＥＤ駆動装置７０に直列接続された赤色ＬＥＤ回路と、赤色ＬＥＤ回路に直列接続された黄色ＬＥＤ回路と、黄色ＬＥＤ回路に直列接続された緑色ＬＥＤ回路とを用いる信号機６０を表わす。ＬＥＤ駆動装置７０は、後述するＬＥＤ回路へＬＥＤ電流を供給するように電流源ＩＳを有する。
【００１７】
赤色ＬＥＤ回路は、Ｒ−ＬＥＤ配列８０及び従来の電子スイッチ８１の並列接続を用いる。従来の屈折レンズ８２は、如何なる光がＲ−ＬＥＤ配列８０から発せられても、赤の交通信号を伝えるようにＲ−ＬＥＤ配列８０に相対して置かれている。一つの実施例では、Ｒ−ＬＥＤ配列８０は白色光を発し、屈折レンズ８２の色が赤である。第二の実施例では、Ｒ−ＬＥＤ配列８０が赤色光を発し、屈折レンズ８２の色は赤である。
【００１８】
黄色ＬＥＤ回路は、Ｙ−ＬＥＤ配列９０及び従来の電子スイッチ９１の並列接続を用いる。従来の屈折レンズ９２は、如何なる光がＹ−ＬＥＤ配列９０から発せられても、黄色の交通信号を伝えるようにＹ−ＬＥＤ配列９０に相対して置かれている。一つの実施例では、Ｙ−ＬＥＤ配列９０は白色光を発し、屈折レンズ９２の色が黄色である。第二の実施例では、Ｇ−ＬＥＤ配列９０が黄色光を発し、屈折レンズ９２の色は黄色である。
【００１９】
緑色ＬＥＤ回路は、Ｇ−ＬＥＤ配列１００及び従来の電子スイッチ１０１の並列接続を用いる。従来の屈折レンズ１０２は、如何なる光がＧ−ＬＥＤ配列１００から発せられても、緑の交通信号を伝えるようにＧ−ＬＥＤ配列１００に相対して置かれている。一つの実施例では、Ｇ−ＬＥＤ配列１００は白色光を発し、屈折レンズ１０２の色が緑である。第二の実施例では、Ｇ−ＬＥＤ配列８０が緑色光を発し、屈折レンズ１０２の色は緑である。
【００２０】
スイッチ制御器７１は、従来、光が任意の時間期間でＬＥＤ配列８０、９０又は１００の一つのみから発せられるように、スイッチ８１、９１及び１０１を選択的に開閉させるように動作する。
【００２１】
図４で表わされている赤色光動作では、スイッチ８１が開かれ、スイッチ９１及び１０１は閉じられている。結果として、ＬＥＤ電流ＩＲＬは、最初にＲ−ＬＥＤ配列８０を流れ、それによってＲ−ＬＥＤ配列８０及び屈折レンズ８２を介して赤色交通信号を発し、次に、閉じられたスイッチ９１及び１０１により夫々形成されたＬＥＤ配列９０及び１００に並列な短絡回路を流れる。
【００２２】
図５で表わされている黄色光動作では、スイッチ９１が開かれ、スイッチ８１及び１０１は閉じられている。結果として、ＬＥＤ電流ＩＹＬは、閉じられたスイッチ８１により形成されたＲ−ＬＥＤ配列８０に並列な短絡回路に続いてＹ−ＬＥＤ配列９０を流れ、それによってＹ−ＬＥＤ配列９０及び屈折レンズ９２を介して黄色交通信号を発し、次に、閉じられたスイッチ１０１により形成されたＧ−ＬＥＤ配列１００に並列な短絡回路を流れる。
【００２３】
図６で表わされている緑色光動作では、スイッチ１０１が開かれ、スイッチ８１及び９１は閉じられている。結果として、ＬＥＤ電流ＩＧＬは、最初に閉じられたスイッチ８１及び９１により夫々形成されたＬＥＤ配列８０及び９０に並列な短絡回路を流れ、次に、Ｇ−ＬＥＤ配列１００を流れ、それによってＧ−ＬＥＤ配列１００及び屈折レンズ１０２を介して緑色交通信号を発する。
【００２４】
スイッチ制御器７１は、伝達制御部（図示せず。）と通信する。伝達制御部は、スイッチ８１、９１及び１０１が単独で開かれるべきであるときをスイッチ制御器７１に指示する。適切に動作するスイッチ制御器７１は、矛盾する通信を観察者に送ることを避けるために、交通信号６０のスイッチ８１、９１及び１０１のうちの二つを決して同時に開かない。
【実施例３】
【００２５】
図７で表わされている信号機１１は、ＬＥＤ駆動装置２０と、スイッチ制御器（ＳＣ）２１と、ＬＥＤ駆動装置２０に並列接続された赤色ＬＥＤ回路と、ＬＥＤ駆動装置２０に並列接続された二つの黄色ＬＥＤ回路と、ＬＥＤ駆動装置２０に並列接続された二つの緑色ＬＥＤ回路とを用いる。
【００２６】
赤色ＬＥＤ回路は、図１から３の説明に関連して上述したように、Ｒ−ＬＥＤ配列３０、電流制限器（ＣＬ）３１及び従来の電子スイッチ３２の直列接続を用いる。
【００２７】
右側の黄色ＬＥＤ回路は、図１から３の説明に関連して上述したように、Ｙ−ＬＥＤ配列４０、電流制限器（ＣＬ）４１及び電子スイッチ４２の直列接続を用いる。右側の黄色ＬＥＤ回路と同様に、左側の黄色ＬＥＤ回路は、Ｙ−ＬＥＤ配列４４、従来の電流制限器（ＣＬ）４５及び従来の電子スイッチ４６の直列接続を用いる。
【００２８】
右側の緑色ＬＥＤ回路は、図１から３の説明に関連して上述したように、Ｇ−ＬＥＤ配列５０、電流制限器（ＣＬ）５１及び電子スイッチ５２の直列接続を用いる。右側の緑色ＬＥＤ回路と同様に、左側の緑色ＬＥＤ回路は、Ｇ−ＬＥＤ配列５４、従来の電流制限器（ＣＬ）５５及び従来の電子スイッチ５６の直列接続を用いる。
【００２９】
スイッチ制御器２１は、従来、光が所定の時間期間でＬＥＤ配列３０、４０、４４、５０及び５４のうちの一つ又は二つから発せられるように、電子スイッチ３２、４２、４６、５２及び５６を選択的に開閉させるように動作する。当業者にとって、電子スイッチ３２、４２、４６、５２及び５６の選択的開閉に基づくＬＥＤ配列３０、４０、４４、５０及び５４を選択的に流れる様々なＬＥＤ電流の性質は、明らかである。
【実施例４】
【００３０】
図８で表わされている信号機６１は、ＬＥＤ駆動装置７０と、スイッチ制御器（ＳＣ）７１と、ＬＥＤ駆動装置７０に直列接続された赤色ＬＥＤ回路と、赤色ＬＥＤ回路に対する二つの黄色ＬＥＤ回路の直列接続と、前記黄色ＬＥＤ回路に対する二つの緑色ＬＥＤ回路の直列接続とを用いる。
【００３１】
赤色ＬＥＤ回路は、図４から６の説明に関連して上述したように、Ｒ−ＬＥＤ配列８０及び電子スイッチ８１の並列接続を用いる。
【００３２】
右側の黄色ＬＥＤ回路は、図４から６の説明に関連して上述したように、Ｙ−ＬＥＤ配列９０及び電子スイッチ９１の並列接続を用いる。右側の黄色ＬＥＤ回路と同様に、左側の黄色ＬＥＤ回路は、Ｙ−ＬＥＤ配列９３、及び従来の電子スイッチ９４の並列接続を用いる。
【００３３】
右側の緑色ＬＥＤ回路は、図４から６の説明に関連して上述したように、Ｇ−ＬＥＤ配列１００及び電子スイッチ１０１の並列接続を用いる。右側の緑色ＬＥＤ回路と同様に、左側の緑色ＬＥＤ回路は、Ｇ−ＬＥＤ配列１０３、及び従来の電子スイッチ１０４の並列接続を用いる。
【００３４】
スイッチ制御器７１は、従来、光が所定の時間期間でＬＥＤ配列８０、９０、９３、１００及び１０３のうちの一つ又は二つから発せられるように、電子スイッチ８１、９１、９４、１０１及び１０４を選択的に開閉させるように動作する。当業者にとって、電子スイッチ８１、９１、９４、１０１及び１０４の選択的開閉に基づくＬＥＤ配列８０、９０、９３、１００及び１０３を選択的に流れる様々なＬＥＤ電流の性質は、明らかである。
【００３５】
〔発明の効果〕
本明細書中に記述する本発明による信号機の多種多様な実施は、当業者にとって明らかである。第一の模範的な実施は、交差点での自動車衝突を防ぐように交差路の横断で使用される。第二の模範的な実施は、可動橋が非作動又は作動しているときを知らせる信号機として使用される。第三の模範的な実施は、線路の交差で二つの赤い点滅光を制御する信号機として使用される。第四の模範的な実施は、交差点で「渡れる（ウォーク）」及び「渡るな（ドント・ウォーク）」の交互の信号を制御する信号機である。第五の模範的な実施は、二つの車線から一つの車線に合流することを運転者に知らせる点滅信号機として使用される。
【００３６】
明細書中で開示した本発明の実施例は、現在のところ、望ましい実施例であると考えられるが、様々な変形及び変更が本発明の精神及び適用範囲から外れることなく成されうる。本発明の適用範囲は、添付の特許請求の範囲で示されている。等価な目的及び範囲の中での全ての変更は、それらの中に包含される。
【図面の簡単な説明】
【００３７】
【図１】赤の光を発する信号機の本発明による第一の実施例を表わす。
【図２】黄の光を発する図１の信号機を表わす。
【図３】緑の光を発する図１の信号機を表わす。
【図４】赤の光を発する信号機の本発明による第二の実施例を表わす。
【図５】黄の光を発する図４の信号機を表わす。
【図６】緑の光を発する図４の信号機を表わす。
【図７】信号機の本発明による第三の実施例を表わす。
【図８】信号機の本発明による第四の実施例を表わす。
【図１】
2007527047.tif 000003
【図２】
2007527047.tif 000004
【図３】
2007527047.tif 000005
【図４】
2007527047.tif 000006
【図５】
2007527047.tif 000007
【図６】
2007527047.tif 000008
【図７】
2007527047.tif 000009
【図８】
2007527047.tif 000010
【国際調査報告】
2007527047.tif 000011
2007527047.tif 000012